(57)【要約】【課題】簡単な構成で延長ガイドを伸長可能な用紙供給装置及びこれを搭載した画像形成装置を提供する。【解決手段】手差しトレイ(3)は、回動軸(55)を介してフロントカバー(5)の開口(44)を開閉可能なカバー部材(50)と、カバー部材上を滑動可能に構成され、用紙の回動軸側を支持する給紙台(60)と、カバー部材上を滑動可能に構成され、用紙の回動軸側とは反対側を支持する延長ガイド(70)と、給紙台と延長ガイドとを連結する長さ不変の突起連結ベルト(80)とを具備し、カバー部材が開口を開放する方向に移動すると、給紙台が回動軸に近接する方向に移動する一方、延長ガイドは、連結部材を介して引き上げられ、回動軸から離間する方向に移動する。【選択図】図９
2010180048.tif 000002
【特許請求の範囲】
【請求項１】
開口を有した装置本体に回動自在に支持されており、枚葉の用紙を前記装置本体内に向けて給紙可能な用紙供給ユニットであって、
回動軸を介して前記装置本体に回動自在に支持され、前記開口を開閉可能なカバー部材と、
該カバー部材上を滑動可能に構成され、前記用紙のうち前記回動軸側を支持する第１用紙積載部と、
前記カバー部材上を滑動可能に構成され、前記用紙のうち前記回動軸側とは反対側を支持する第２用紙積載部と、
前記第１用紙積載部と前記第２用紙積載部とを連結する長さ不変の可撓性連結部材とを具備し、
前記カバー部材が前記開口を開放する方向に移動すると、前記第１用紙積載部が前記回動軸に近接する方向に移動する一方、前記第２用紙積載部は、前記連結部材を介して引き上げられ、前記回動軸から離間する方向に移動することを特徴とする用紙供給装置。
【請求項２】
請求項１に記載の用紙供給装置であって、
その一端側が前記装置本体に揺動自在に支持されるとともに、その他端側が前記第１用紙積載部に係合されるリンク部材をさらに具備し、
該リンク部材には、前記カバー部材が前記開口を開放する方向に移動すると、前記第１用紙積載部を前記回動軸に近接させる力が作用していることを特徴とする用紙供給装置。
【請求項３】
請求項１又は２に記載の用紙供給装置であって、
前記カバー部材が前記開口を閉塞する方向に移動すると、前記第２用紙積載部が、その自重によって、前記回動軸に近接する方向に移動する一方、前記第１用紙積載部が、前記連結部材を介して引き上げられ、前記回動軸から離間する方向に移動することを特徴とする用紙供給装置。
【請求項４】
請求項１から３のいずれか一項に記載の用紙供給装置を搭載したことを特徴とする画像形成装置。
【発明の詳細な説明】
【技術分野】
【０００１】
本発明は、複写機やプリンタ、ファクシミリ等に用いられる用紙供給装置及びこれを搭載した画像形成装置に関するものである。
【背景技術】
【０００２】
この種の用紙供給装置には、装置本体に対して引き出し可能に構成された給紙カセットや、装置本体の開口を開閉可能に構成された手差しトレイ（マルチパーパストレイ）がある。前者の給紙カセットには、頻繁に使用される普通紙等の用紙が積層状態で収容されており、この用紙はカセットから１枚ずつ分離され、レジストローラに向けて送出される。
【０００３】
一方、後者の手差しトレイは、厚紙や葉書等の用紙が積層可能に構成されており、この用紙もトレイから１枚ずつ分離され、レジストローラに向けて送出される（例えば、特許文献１参照）。詳しくは、手差しトレイが開口を開放すると、このトレイの一端部が給紙ローラに対峙する。次いで、トレイに当該用紙を載置し、画像形成装置のスタートボタンを押し下げると、この用紙は、給紙ローラによって搬送力が得られるので、上記レジストローラに向けて搬送される。
【先行技術文献】
【特許文献】
【０００４】
【特許文献１】特開平１０−２１８４３６号公報
【発明の概要】
【発明が解決しようとする課題】
【０００５】
ところで、上述した従来の技術では、装置が複雑になるとの問題がある。
なぜならば、当該技術によれば、手差しトレイにて大きなサイズの用紙を利用する場合には、延長ガイドを伸長させるものの、その判断にはセンサ等からの信号が必要になるからである。
【０００６】
また、この延長ガイドの伸長にはギア列やラックを用いており、これでは、ギア等を組み付けるスペースが必要になって用紙供給装置や装置本体が大型になるとの問題もある。
そこで、本発明の目的は、上記課題を解消し、簡単な構成で延長ガイドを伸長可能な用紙供給装置及びこれを搭載した画像形成装置を提供することである。
【課題を解決するための手段】
【０００７】
上記目的を達成するための第１の発明は、開口を有した装置本体に回動自在に支持されており、枚葉の用紙を装置本体内に向けて給紙可能な用紙供給ユニットである。そして、回動軸を介して装置本体に回動自在に支持され、開口を開閉可能なカバー部材と、カバー部材上を滑動可能に構成され、用紙のうち回動軸側を支持する第１用紙積載部と、カバー部材上を滑動可能に構成され、用紙のうち回動軸側とは反対側を支持する第２用紙積載部と、第１用紙積載部と第２用紙積載部とを連結する長さ不変の可撓性連結部材とを具備し、カバー部材が開口を開放する方向に移動すると、第１用紙積載部が回動軸に近接する方向に移動する一方、第２用紙積載部は、連結部材を介して引き上げられ、回動軸から離間する方向に移動する。
【０００８】
第１の発明によれば、用紙供給ユニットは、カバー部材、第１用紙積載部、第２用紙積載部、及び可撓性連結部材を具備しており、カバー部材は、回動軸で回動することにより、装置本体の開口を開放することできる。
第１用紙積載部は、用紙の回動軸側を支持し、カバー部材上を滑動することができる。これに対し、第２用紙積載部は、用紙の回動軸側とは反対側を支持し、カバー部材上を滑動することができる。
【０００９】
また、可撓性連結部材は、その長さが不変であって、第１用紙積載部と第２用紙積載部とを連結している。
そして、第２用紙積載部は、用紙供給ユニットの開閉動作に連動し、用紙の回動軸側とは反対側を支持するように機能する。詳しくは、カバー部材が開口を開放する方向に移動すると、第１用紙積載部が回動軸に近接する方向に移動するが、その際に、連結部材が第２用紙積載部を引き上げており、用紙供給ユニットの搬送方向長を延長することができる。
【００１０】
これにより、当該ユニットによる開口を開く操作が、そのまま第２用紙積載部を引き出す操作になり、使用者は第２用紙積載部を引き出す操作を行わずに済むし、また、センサ等を用いた従来に比して制御装置が不要になる。
しかも、この従来の場合に比してギア等を組み付けるスペースも不要になり、用紙供給装置の小型化にも寄与する。
【００１１】
第２の発明は、第１の発明の構成において、その一端側が装置本体に揺動自在に支持されるとともに、その他端側が第１用紙積載部に係合されるリンク部材をさらに具備し、リンク部材には、カバー部材が開口を開放する方向に移動すると、第１用紙積載部を回動軸に近接させる力が作用していることを特徴とする。
【００１２】
第２の発明によれば、第１の発明の作用に加えてさらに、第１用紙積載部と第２用紙積載部とが連結部材で繋がれており、第１用紙積載部と第２用紙積載部との逆行によって用紙供給ユニットの搬送方向長が延長されるが、カバー部材が開口を開放する方向に移動すると、リンク部材が第１用紙積載部を引き付けているため、当該ユニットによる開口を開く操作が、そのまま第２用紙積載部を確実に引き出す操作になる。
【００１３】
第３の発明は、第１や第２の発明の構成において、カバー部材が開口を閉塞する方向に移動すると、第２用紙積載部が、その自重によって、回動軸に近接する方向に移動する一方、第１用紙積載部が、連結部材を介して引き上げられ、回動軸から離間する方向に移動することを特徴とする。
第３の発明によれば、第１や第２の発明の作用に加えてさらに、カバー部材が開口を閉塞する方向に移動すると、第２用紙積載部が自重によって回動軸に近接する方向に移動するので、その際に、連結部材は第１用紙積載部を引き上げることができる。よって、当該ユニットによる開口を閉じる操作が、そのまま第２用紙積載部を収納操作になり、使用者は第２用紙積載部の収納操作を行わずに済む。
【００１４】
第４の発明は、第１から第３の用紙供給装置を搭載した画像形成装置であることを特徴とする。
第４の発明によれば、第１から第３の発明の作用に加えてさらに、上述した第１用紙積載部、第２用紙積載部及び連結部材を備えていれば、大きなサイズの用紙を利用する場合にも確実に給紙することができ、画像形成装置の信頼性向上に寄与する。
【発明の効果】
【００１５】
本発明によれば、第２用紙積載部が用紙供給ユニットの開閉動作に連動して伸長するため、その使用者は片手によるワンタッチ操作が可能になる用紙供給装置及びこれを搭載した画像形成装置を提供することができる。
【図面の簡単な説明】
【００１６】
【図１】本実施例のプリンタの外観斜視図である。
【図２】図１のプリンタの概略構成図である。
【図３】図１のプリンタにて手差しトレイの給紙姿勢を示す図である。
【図４】図３の手差しトレイの斜視図である。
【図５】図４の給紙台の斜視図である。
【図６】図４の延長ガイドの斜視図である。
【図７】図４のレバーに関する説明図である。
【図８】図３の手差しトレイによるフロントカバーの閉塞姿勢を示す図である。
【図９】図３の手差しトレイによるフロントカバーの開放姿勢を示す図である。
【発明を実施するための形態】
【００１７】
以下、本発明の実施形態について図面を参照しながら説明する。
図１には、画像形成装置の一例であるカラー印刷可能なプリンタ１が左前上方から示されており、使用者に相対するプリンタ１の正面と、このプリンタ１の左側面とが見えている。このプリンタ１は画像形成装置本体２を備え、排紙トレイ３６が装置本体２の上部に形成されている。
【００１８】
同図に示されるように、排紙トレイ３６の手前側には操作表示部３９が設置されている。この操作表示部３９には、使用者の各種操作に供される複数の操作キーや、各種情報を表示する画面が配置されている。
また、この装置本体２の下方には装置本体２に一体の給紙カセット４が配置されている。
【００１９】
カセット４の内部には、枚葉の用紙（例えば普通紙）が積層された状態で収納されている。なお、当該普通紙の他、コート紙、上質紙、厚紙やＯＨＰシート等の種々の用紙も収納可能である。図２に示される如く、このカセット４は収容部４０を有し、収容部４０の右上方には給紙・分離ローラ４６が設けられている。
【００２０】
そして、用紙は、同図においてカセット４の右上方に向けて送出され、この送出された用紙は、装置本体２の内部でプリンタ１の正面側に沿って上方に搬送される。
また、カセット４は、プリンタ１の正面側、つまり、図２において右方向に向けて引き出し可能に構成されており、この引き出した状態にて、カセット４内に新たな用紙を補充したり、用紙を別の種類の用紙に入れ替え可能となる。
【００２１】
装置本体２の内部には、カセット４からの用紙搬送方向で見て下流側に搬送ローラ１０、レジストローラ１４、画像形成部１６及び転写部３０が順番に配置されている。
画像形成部１６には４個の感光体ドラム１８が並設されている。また、このドラム１８とカセット４との間には露光部１５が備えられており、この露光部１５からは、レーザ光が各ドラム１８に向けてそれぞれ照射される。
【００２２】
さらに、各ドラム１８の上方には転写ベルト１２が配置され、この転写ベルト１２とトレイ３６との間には４個のトナーコンテナ２０が配設されている。これら各コンテナ２０は、プリンタ１の背面側から正面側に向けて、イエロー用、マゼンタ用、シアン用、そして、ブラック用の順に配設され、このブラック用のコンテナの容量が最も大きく構成されている。
【００２３】
転写部３０には転写ローラ３１が備えられ、このローラ３１は転写ベルト１２に対して斜め下方から圧接可能に構成されている。
そして、これらベルト１２とローラ３１とは、４個の各トナーコンテナ２０から供給されたトナーを用い、トナー像を用紙に転写するためのニップ部を形成させる。
【００２４】
また、用紙搬送方向で見て転写部３０の下流側には、定着部３２、排出分岐部３４及びトレイ３６が順番に配置されている。
本実施例では、転写部３０と手差しトレイ（用紙供給ユニット）３との間に両面印刷ユニット３８が形成されている。このユニット３８は、排出分岐部３４から装置本体２の正面側に向けて分岐して下方に向けて延び、レジストローラ１４の上流側に連結している。
【００２５】
ここで、上述の手差しトレイ３は、装置本体２のフロントカバー５に開閉可能に配設され、厚紙や葉書等の用紙を積層することができる。このフロントカバー５は、プリンタ１の正面側を覆う門型状に形成され（図３）、その下端は装置本体２に回動自在に支持される。また、トレイ３の下端もフロントカバー５に回動自在に支持されており、その開口４４を開閉することができる。
【００２６】
具体的には、本実施例の手差しトレイ３は、カバー部材５０、給紙台（第１用紙積載部）６０、及び延長ガイド（第２用紙積載部）７０を備えている。
まず、図４に示される如く、カバー部材５０は開口４４の大きさに略等しい本体５１を有し、この本体５１は、カバー部材５０が開口４４を閉塞すると、プリンタ１の正面側から見える表面５２と、給紙台６０や延長ガイド７０を載置する裏面５３とを有しており、この裏面５３の適宜位置には、図３に示された係合凸部４２に係合可能な係合凹部が設けられる。これら係合凸部４２や係合凹部には例えばプッシュラッチが用いられる。
【００２７】
一方、カバー部材５０の両側端にはガイド板５４，５４が立設され、給紙台６０や延長ガイド７０を滑動可能に支持する。
より詳しくは、ガイド板５４は、カバー部材５０が開口４４を開放した状態を示す図４で見ると、プリンタ１の正面側から背面側に向けて延びており、そのフロントカバー５の近接位置には回動軸５５が突設されている。この回動軸５５はフロントカバー５に回動自在に支持される。
【００２８】
また、ガイド板５４において、この回動軸５５の近傍には給紙台用下側ガイド溝５６がガイド板５４を貫通して穿設されている。当該下側ガイド溝５６は、回動軸５５の近傍から図４で見て凹状に湾曲し、ガイド板５４の長手方向の略中央付近にまで達している。
さらに、当該ガイド板５４の長手方向の略中央付近には、給紙台用上側ガイド溝５７が設けられている。
【００２９】
当該上側ガイド溝５７もまた、ガイド板５４を貫通して穿設されているが、下側ガイド溝５６の回動軸５５から遠い側の端部の近傍から凸状になだらかに湾曲しており、ガイド板５４に外向きに突設された巻き付けボス５９を越えるまで延びている。
さらにまた、当該ガイド板５４の長手方向の略中央付近には、延長ガイド用溝５８もガイド板５４を貫通して穿設されている。当該ガイド用溝５８は、給紙台用上側ガイド溝５７の下側にて、このガイド溝５７に沿って上方に向かって巻き付けボス５９の手前まで延びている。なお、このボス５９を挟んで対峙する上側ガイド溝５７の端部分と延長ガイド用溝５８の端部分とは同じ高さに形成される。
【００３０】
次に、給紙台６０は、ガイド板５４，５４の間に配置可能な幅で形成されており、用紙の回動軸５５側を支持している。
具体的には、図４，５にも示される如く、給紙台６０は、幅合わせ部６６を有したシート積載部６１と、各ガイド部材５４に対峙する山型側板６２，６２とを備え、この各側板６２には計３つの突起が外向きで一体形成されている。
【００３１】
より詳しくは、当該側板６２の頂上近傍には鉤型突起６５が突設され、また、側板６２の麓部分のうち、鉤型突起６５の下方には下側支持突起６３が突設されており、この支持突起６３は下側ガイド溝５６に遊嵌可能に構成されている。これに対し、側板６２の麓部分のうち、延長ガイド７０に近接する側には上側支持突起６４が突設され、この支持突起６４は上側ガイド溝５７に遊嵌可能に構成される。
【００３２】
この延長ガイド７０もまた、ガイド板５４，５４の間に配置可能な幅で形成されているが、用紙の回動軸５５側とは反対側を支持している。すなわち、図４，６に示されるように、延長ガイド７０はシート積載面７１を備え、この積載面７１は、上述したプッシュラッチによる係合を受容可能な貫通口７２や、用紙の垂れを防止する凸部７３をそれぞれ有している。
【００３３】
また、この延長ガイド７０は各ガイド部材５４に対峙する側面７４を備えており、当該側面７４のうち、給紙台６０に近接する側の適宜位置には支持突起７５が外向きに突設され、この支持突起７５は延長ガイド用溝５８に遊嵌可能に構成されている。
再び図４に戻り、本実施例では、これら下側支持突起６３と支持突起７５とは突起連結ベルト（可撓性連結部材）８０で繋がれている。
【００３４】
当該連結ベルト８０は、可撓性を有した材質で形成されて長さ不変に構成されており、ガイド部材５４の外側にて、その一端が下側支持突起６３に固定され、支点となる巻き付けボス５９を経由し、その他端は支持突起７５に固定されている。これにより、下側支持突起６３の移動に伴い、支持突起７５は、下側支持突起６３の移動方向とは反対方向に向けて移動可能になる。なお、このベルトに替えて紐であっても良い。
【００３５】
ここで、上述した給紙台６０はレバー（リンク部材）９０，９０によって装置本体２に向けて引き付けられる。
具体的には、当該レバー９０は、図４の他、図７にも示される如く、フロントカバー５と給紙台６０とを連結するアーム部９１を備えている。このアーム部９１は、その一端側がカバー５に揺動自在に支持される揺動支持部９２と、揺動支持部９２から側板６２に向けて延びた他端側である先端部９３と、この先端部９３の近傍に穿設された長穴９４とを有しており、この長穴９４に各鉤型突起６５，６５が係合されている。
【００３６】
そして、手差しトレイ３が開口４４を閉塞している図８の状態において、使用者がカバー部材５０を引き出して開口４４を開放する方向に移動させると、鉤型突起６５が長穴９４に沿って先端部９３に向けて移動し、揺動支持部９２は図９で見て時計回りに回動する。よって、レバー９０には、給紙台６０を回動軸５５に近接させる引き付け力が作用するため、下側支持突起６３は給紙台用下側ガイド溝５６に沿って回動軸５５に向けて移動し、上側支持突起６４も給紙台用上側ガイド溝５７に沿って回動軸５５に向けて移動する。
【００３７】
同時に、支持突起７５は突起連結ベルト８０を介して引き上げられるので、この支持突起７５は延長ガイド用溝５８に沿って回動軸５５から離れる方向に移動する。
これにより、給紙台６０はカバー部材５０上を開口４４に近接する方向に向けて滑動し、図１の給紙ローラ１９に対峙する。これに対し、延長ガイド７０はカバー部材５０上を開口４４から離間する方向に向けて滑動し、カバー部材５０の先端部分よりもさらに上方へスライドすることになる。
【００３８】
一方、この図９の状態において、使用者がカバー部材５０を押し込んで開口４４を閉塞する方向に移動させると、支持突起７５は、延長ガイド７０の自重によって、延長ガイド用溝５８に沿って回動軸５５に向けて移動する。
同時に、下側支持突起６３は突起連結ベルト８０を介して引き上げられるし、また、レバー９０で上方に向けて押し上げられため、この下側支持突起６３は給紙台用下側ガイド溝５６に沿って回動軸５５から離れる方向に移動し、上側支持突起６４も給紙台用上側ガイド溝５７に沿って回動軸５５から離れる方向に移動する。
【００３９】
この結果、延長ガイド７０や給紙台６０はカバー部材５０上を互いに近接する方向に向けて滑動し、次いで、貫通口７２を介して上述したプッシュラッチが係合すると、プリンタ１の正面側にてカバー部材５０の表面５２とフロントカバー５とが面一状に重なることになる（図１，８）。
【００４０】
そして、プリンタ１が印刷を行う際は、カセット４や手差しトレイ３のいずれかからの用紙が給紙・分離ローラ４６や図２の給紙ローラ１９を経由して１枚ずつ分離して送出される。送出された用紙はレジストローラ１４に到達する。このローラ１４は、用紙の斜め送りを矯正しつつ、画像形成部１６で形成されるトナー画像との画像転写タイミングを計りながら、用紙を転写部３０へと送出する。
【００４１】
一方、印刷の元になる画像データは外部から受信可能に構成されている。この画像データは、文字や符号、図形、記号、線図、模様等の各種の画像がデータ化されたものであり、このデータに基づき、プリンタ１では露光部１５によるレーザ光の照射が制御される。これにより、各ドラム１８上に原稿画像の静電潜像が作られ、この静電潜像からトナー画像が形成される。
【００４２】
このトナー画像は上記転写部３０にて用紙に転写される。その後、用紙は未定着トナー画像を担持した状態で定着部３２に向けて送られ、この定着部３２にて加熱及び加圧され、トナー画像が定着される。次いで、定着部３２から送出された用紙は排出ローラ３５を介して排紙トレイ３６に排出され、高さ方向に積層される。
【００４３】
この片面印刷に対し、両面印刷を行う場合には、定着部３２から排出された用紙は、排出分岐部３４でその搬送方向が切り替えられる。つまり、片面に印刷された用紙は装置本体２内に引き戻され、両面印刷ユニット３８に搬送される。続いて、この用紙はレジストローラ１４の上流側に向けて送出され、転写部３０に向けて再び送られる。これにより、用紙の未だ印刷がされていない方の面にトナー画像が転写される。
【００４４】
以上のように、本実施例によれば、手差しトレイ３は、カバー部材５０、給紙台６０、延長ガイド７０、及び突起連結ベルト８０を少なくとも具備しており、カバー部材５０は、回動軸５５で回動することにより、フロントカバー５の開口４４を開放することできる。
給紙台６０は、用紙の回動軸５５側を支持し、カバー部材５０上を滑動することができる。これに対し、延長ガイド７０は、用紙の回動軸５５側とは反対側を支持し、カバー部材５０上を滑動することができる。
【００４５】
また、連結ベルト８０は、その長さが不変であって、給紙台６０の下側支持突起６３と延長ガイド７０の支持突起７５とを巻き付けボス５９を経由して連結している。
そして、延長ガイド７０は、手差しトレイ３の開閉動作に連動し、用紙の回動軸５５側とは反対側を支持するように機能する。詳しくは、カバー部材５０が開口４４を開放する方向に移動すると、給紙台６０が回動軸５５に近接する方向に移動するが、その際に、連結ベルト８０が延長ガイド７０を引き上げており、トレイ３の搬送方向長を延長することができる。
【００４６】
これにより、当該トレイ３による開口４４を開く操作が、そのまま延長ガイド７０を引き出す操作になり、使用者は延長ガイド７０を引き出す操作を行わずに済むので、仮に使用者が操作に不慣れであっても、トレイ３の搬送方向長を確実に延長することができるし、また、センサ等を用いた従来に比して制御装置が不要になる。
【００４７】
しかも、この従来の如く、ギア列やラックを用いて延長ガイドを延長させる場合に比して、これらギア等を組み付けるスペースも不要になり、用紙供給装置、ひいては装置本体２の小型化にも寄与する。
また、給紙台６０と延長ガイド７０とが連結ベルト８０で繋がれており、これら給紙台６０と延長ガイド７０との逆行によってトレイ３の搬送方向長が延長されるものの、カバー部材５０が開口４４を開放する方向に移動すると、レバー９０が給紙台６０を引き付けているため、当該トレイ３による開口４４を開く操作が、そのまま延長ガイド７０を確実に引き出す操作になる。
【００４８】
さらに、カバー部材５０が開口４４を閉塞する方向に移動すると、延長ガイド７０が自重によって回動軸５５に近接する方向に移動するので、その際に、連結ベルト８０は給紙台６０を引き上げることができる。よって、当該トレイ３による開口４４を閉じる操作が、そのまま延長ガイド７０の収納操作になり、使用者は延長ガイド７０の収納操作を行わずに済む。
【００４９】
さらにまた、上述した給紙台６０、延長ガイド７０及び連結ベルト８０を備えていれば、大きなサイズの用紙を利用する場合にも確実に給紙することができ、プリンタ１の信頼性向上に寄与する。
本発明は、上記実施例に限定されず、特許請求の範囲を逸脱しない範囲で種々の変更を行うことができる。
【００５０】
例えば、下側支持突起６３と支持突起７５とが巻き付けボス５９を支点とした連結ベルト８０で連結され、互いに引き上げ合う関係にある限り、上述した下側ガイド溝５６、上側ガイド溝５７や、延長ガイド用溝５８の形状は必ずしも本実施例の構成に限定されるものではない。
また、この実施例では画像形成装置としてプリンタに具現化した例を示しているが、本発明の画像形成装置は、複合機、複写機やファクシミリ等にも当然に適用可能である。
【符号の説明】
【００５１】
１  プリンタ（画像形成装置）
２  装置本体
３  手差しトレイ（用紙供給ユニット）
４４  開口
５０  カバー部材
５５  回動軸
５９  巻き付けボス
６０  給紙台（第１用紙積載部）
７０  延長ガイド（第２用紙積載部）
８０  突起連結ベルト（可撓性連結部材）
９０  レバー（リンク部材）
【図１】
2010180048.tif 000003
【図２】
2010180048.tif 000004
【図３】
2010180048.tif 000005
【図４】
2010180048.tif 000006
【図５】
2010180048.tif 000007
【図６】
2010180048.tif 000008
【図７】
2010180048.tif 000009
【図８】
2010180048.tif 000010
【図９】
2010180048.tif 000011